(57)【要約】【課題】メッセージ情報を判り易く、効率的に表示させる。【解決手段】デジタル放送に多重されて伝送される、カードメッセージ情報、ボードメッセージ情報、外部記録再生器２３での予約録画結果等に関する本機メッセージ情報及びメールの送信結果等に基づくメール管理情報をお知らせ情報デコーダ１６で復号して、表示制御部１７に供給すると共に、新着メール情報をメール情報処理部２７から表示制御部１７に供給し、表示制御部１７でスクロール表示処理を行なってモニタ部２０でスクロール表示させる。その際、表示制御部１７でスクロール表示に適さない符号を検出してスクロール表示を制御すると共に、スクロールの方向と速度を切換えられるように構成し、さらに全体表示に切換えられるように構成する。【選択図】      図１
2004207930.tif 000002
【特許請求の範囲】
【請求項１】
映像信号を含むテレビジョン番組に基づく情報及び当該テレビジョン番組に基づく情報とは異なるメッセージ情報を受信する受信手段と、
前記受信したメッセージ情報に含まれる符号情報中の改行制御符号あるいはスペース符号を検出する検出手段と、
前記メッセージ情報を表示手段にて文字情報としてスクロール表示されるようにすると共に、当該スクロール表示が前記検出手段の検出結果に基づいて制御されるようにする表示制御手段と、
を具備したことを特徴とするデジタル放送受信装置。
【請求項２】
映像信号を含むテレビジョン番組に基づく情報及び当該テレビジョン番組に基づく情報とは異なるメッセージ情報を受信する受信手段と、
前記受信したメッセージ情報から当該メッセージ情報のリストを生成し、生成したリストを表示手段で表示すべく出力すると共に前記表示手段に表示されたリストからメッセージ情報の一つを選択し、選択されたメッセージ情報を、前記表示手段で表示する第１の表示形態と、前記受信されたメッセージ情報を前記映像信号にスーパーインポーズされた状態でスクロール表示する第２の表示形態を有した表示制御手段と、
前記表示制御手段の第１の表示形態と、第２の表示形態を切換える切換え手段と、
を具備したことを特徴とするデジタル放送受信装置。
【請求項３】
前記表示制御手段は第1の表示形態に関して、前記メッセージ情報のリスト及び選択されたメッセージ情報を、前記番組を構成する映像信号に重畳する手段を含むことを特徴とする請求項２に記載のデジタル放送受信装置。
【請求項４】
前記表示制御手段は、前記メッセージ情報のスクロール表示を、当該メッセージ情報が受信された都度自動的に行なう手段を備えることを特徴とする請求項１乃至３のいずれかに記載のデジタル放送受信装置。
【請求項５】
前記表示制御手段は、前記メッセージ情報が横スクロールで表示されるように表示制御するものであり、前記改行制御符号を無視すると共に、前記スペース文字符号が所定数以上連続した場合に、当該スペースの表示を禁止するように制御するものであることを特徴とする請求項１に記載のデジタル放送受信装置。
【請求項６】
前記表示制御手段は、前記表示されるメッセージ情報のスクロールの方向または速度のいずれか、あるいはそれら両方を変更する手段を備えることを特徴とする請求項１乃至５のいずれかに記載のデジタル放送受信装置。
【請求項７】
前記メッセージ情報は複数伝送されるものであり、前記表示制御手段は、前記スクロール表示中のメッセージ情報のスクロールを停止し、他のメッセージ情報が表示されるように変更して、新たに選択されたメッセージ情報がスクロール表示されるように制御するものであることを特徴とする請求項１乃至６のいずれかに記載のデジタル放送受信装置。
【請求項８】
前記表示制御手段は、前記スクロール表示を停止させる制御と、当該制御によってスクロール表示が停止されたメッセージ情報の全文を表示させるようにする手段を含むことを特徴とする請求項１乃至７のいずれかに記載のデジタル放送受信装置。
【請求項９】
前記メッセージ情報は一つのメッセージの中に複数の項目を有し、前記表示制御手段は、前記複数の項目の中から表示させる項目を選択するものであることを特徴とする請求項１乃至８のいずれかに記載のデジタル放送受信装置。
【請求項１０】
前記表示制御手段は、前記スクロール表示の制御をユーザによって操作される入力手段からの信号に基づいて実行するものであることを特徴とする請求項１乃至９のいずれかに記載のデジタル放送受信装置。
【請求項１１】
さらに、前記スクロール表示を実施するか否かを含み、前記表示制御手段によるスクロール表示の複数の制御項目について実行するか否かを予め設定する設定手段を備えたことを特徴とする請求項１乃至１０のいずれかに記載のデジタル放送受信装置。
【請求項１２】
映像信号を含むテレビジョン番組に基づく情報及び当該テレビジョン番組に基づく情報とは異なるメッセージ情報を受信するステップと、前記受信したメッセージ情報に含まれる符号情報中の改行制御符号あるいはスペース符号を検出するステップと、
前記メッセージ情報を表示手段にて文字情報としてスクロール表示されるようにすると共に、当該スクロール表示が前記検出手段の検出結果に基づいて制御されるようにするステップと、
を具備したことを特徴とするデジタル放送受信方法。
【請求項１３】
映像信号を含むテレビジョン番組に基づく情報及び当該テレビジョン番組に基づく情報とは異なるメッセージ情報を受信する第1のステップと、
前記受信したメッセージ情報から当該メッセージ情報のリストを生成し、生成したリストを表示手段に表示すると共に前記表示手段に表示されたリストからメッセージ情報の一つを選択し、選択されたメッセージ情報を、前記表示装置で表示するように出力する第２のステップと、
前記受信されたメッセージ情報を前記映像信号にスーパーインポーズされた状態でスクロール表示されるようにする第３のステップと、
前記第２のステップと第３のステップを切換える第４のステップと、
を具備したことを特徴とするデジタル放送受信方法。
【発明の詳細な説明】
【０００１】
【発明の属する技術分野】
本発明は、放送番組を構成する映像信号及び音声信号と、この番組構成信号と共に伝送される放送局からのお知らせ情報、受信契約を管理する事業者からの連絡情報、あるいはメール等のメッセージ情報を含むお知らせ情報を受信するように構成されたデジタル放送受信装置に関する。
【０００２】
【従来の技術】
デジタルテレビジョン放送においては、番組を構成する映像信号及び音声信号の他に、ドラマの荒筋、出演者プロフィール等、番組に関連するデータや、番組とは関係のないニュース、地域天気予報等のデータが付加情報として多重されて放送され、受信装置では受信した放送信号からそれら情報を分離抽出して視聴したり、あるいはデータを分離抽出して利用することが可能なように構成されている。
【０００３】
さらにまた、デジタルテレビジョン放送ではそれら番組情報及び付加情報の他に、放送局からの放送そのものに関する情報をいわゆるお知らせ情報として伝送しており、受信装置でそれを受けて表示することができるように構成されている。また、受信装置本体の動作状態に関する情報もユーザに報知する必要があるものはお知らせ情報として扱われ、それを表示するように構成されている。
【０００４】
放送局からのお知らせ情報としては、例えばＢ−ＣＡＳ（Bs - Conditional Access System）（登録商標）カード契約者を対象とした事業者からのメッセージ情報（カードメッセージ情報）であったり、あるいは１１０度ＣＳ（Communications Satellite）デジタル放送における事業者からのメッセージ情報（ボードメッセージ情報）であり、それらは、番組を構成する番組情報及び付加情報と共に多重されて伝送される。
【０００５】
受信装置自身のお知らせ情報は、例えば受信装置に備えられた番組録画予約機能によって外部に接続された記録再生機器を駆動し、録画予約を実行させた際にその録画が正常に終了したか否か等の動作状況に関する情報であり、これは装置内部で生成される。
【０００６】
さらにまた、現在実用に供されているｅＰステーション受信器では、放送信号として伝送されるそれら情報を受信する機能の他に、電話回線を利用したメール送受信機能を搭載しており、メールを受信した際にその旨をユーザに知らせる情報あるいは、メールを送信した際に、送信が正しく実行されたか否かの情報がお知らせ情報として扱われる。
【０００７】
以上のようなデジタルテレビジョン放送においては、番組に関連する付加情報は番組の放送とリンクして伝送され、天気予報等の付加情報は、更新されることはあるものの原則として常に放送されており、それらの視聴に関しては、リモコンハンドユニットに専用のキーが設けられていて、ユーザはそれを操作することで、番組の視聴を停止することなく好きなタイミングで視聴することができる。
【０００８】
しかしながら、お知らせ情報に関しては、常時伝送されるものではなく、例えば、設備のメンテナンスのために所定期間放送を停止するとか、あるいは受信器内部のソフトウェアのバージョンアップが必要であるとか、予約録画が実行されなかったとか、さらにメールが届いたとか、事態発生の都度ユーザにメッセージを発するという形態であるため、従来、そのようなお知らせ情報に関しては、番組の視聴中にその内容を確認するという仕様にはなっておらず、視聴を停止して、お知らせ情報の内容を表示させる機能を起動させるという操作が必要であった。
【０００９】
そこで、この問題を解決しようとする試みがなされており、例えば特許文献１に示されている。この特許文献１には、放送局から送られてくるメールを一旦メモリに取り込んでから読み出し、映像信号に重畳してスクロール表示するようにしている。この提案によれば、番組視聴中に放送局からのメッセージを読むことができるものである。
【００１０】
しかしながら、特許文献１には、放送局からのメッセージを番組の映像に重畳してスクロール表示することが記載されているだけで、番組を視聴しながらメッセージを確認することができるものの、表示させるための操作手順、スクロールの仕方等、ユーザの操作性あるいはお知らせ情報の確認のし易さという点については何ら考慮されておらず、依然として改善の余地があるものであった。
【００１１】
【特許文献１】
特開２００１−８１８４号公報（第３頁［００１０］、図２）
【００１２】
【発明が解決しようとする課題】
以上のように、従来の装置は、放送局からのメッセージ情報を単に番組の映像にスーパーインポーズするようにしたものであり、番組を視聴しながらメッセージを見ることができるが、使い勝手の面で充分なものではなく改善が要望されていた。
【００１３】
本発明は、以上の点に対処してなされたものであり、お知らせ情報（メッセージ情報）をユーザに確認し易く表示することを可能にして、使い勝手を向上させたデジタル放送受信装置及び受信方法を提供することを目的とする。
【００１４】
【課題を解決するための手段】
本発明のデジタル放送受信装置は、映像信号を含むテレビジョン番組に基づく情報及び当該テレビジョン番組に基づく情報とは異なるメッセージ情報を受信する受信手段と、前記受信したメッセージ情報に含まれる符号情報中の改行制御符号あるいはスペース符号を検出する検出手段と、前記メッセージ情報を表示手段にて文字情報としてスクロール表示されるようにすると共に、当該スクロール表示が前記検出手段の検出結果に基づいて制御されるようにする表示制御手段と、を具備したことを特徴とする。
【００１５】
本発明によれば、メッセージ情報に含まれる改行制御符号、スペース符号に基づいて、スクロールを制御するようにしたので、メッセージ情報が判り易く効率的に表示されるようになるものである。
本発明のデジタル放送受信装置は、映像信号を含むテレビジョン番組に基づく情報及び当該テレビジョン番組に基づく情報とは異なるメッセージ情報を受信する受信手段と、前記受信したメッセージ情報から当該メッセージ情報のリストを生成し、生成したリストを表示手段で表示すべく出力すると共に前記表示手段に表示されたリストからメッセージ情報の一つを選択し、選択されたメッセージ情報を、前記表示手段で表示する第１の表示形態と、前記受信されたメッセージ情報を前記映像信号にスーパーインポーズされた状態でスクロール表示する第２の表示形態を有した表示制御手段と、前記表示制御手段の第１の表示形態と、第２の表示形態を切換える切換え手段と、を具備したことを特徴とする。
【００１６】
本発明によれば、メッセージ情報のスクロール表示と、一括表示とを選択的に切換えられるようにしたので、ユーザに分かり易い表示を行なうことができるものである。
本発明のデジタル放送受信方法は、映像信号を含むテレビジョン番組に基づく情報及び当該テレビジョン番組に基づく情報とは異なるメッセージ情報を受信するステップと、前記受信したメッセージ情報に含まれる符号情報中の改行制御符号あるいはスペース符号を検出するステップと、前記メッセージ情報を表示手段にて文字情報としてスクロール表示されるようにすると共に、当該スクロール表示が前記検出手段の検出結果に基づいて制御されるようにするステップと、を具備したことを特徴とする。
【００１７】
本発明によれば、メッセージ情報に含まれる改行制御符号、スペース符号に基づいて、スクロールを制御するようにしたので、メッセージ情報が判り易く効率的に表示されるようになるものである。
本発明のデジタル放送受信方法は、映像信号を含むテレビジョン番組に基づく情報及び当該テレビジョン番組に基づく情報とは異なるメッセージ情報を受信する第1のステップと、前記受信したメッセージ情報から当該メッセージ情報のリストを生成し、生成したリストを表示手段に表示すると共に前記表示手段に表示されたリストからメッセージ情報の一つを選択し、選択されたメッセージ情報を、前記表示装置で表示するように出力する第２のステップと、前記受信されたメッセージ情報を前記映像信号にスーパーインポーズされた状態でスクロール表示されるようにする第３のステップと、前記第２のステップと第３のステップを切換える第４のステップと、を具備したことを特徴とする。
【００１８】
本発明によれば、メッセージ情報のスクロール表示と、一括表示とを選択的に切換えられるようにしたので、ユーザに分かり易い表示を行なうことができるものである。
【００１９】
【発明の実施の形態】
以下、図面を参照しながら本発明の実施の形態を詳細に説明する。
図１は、本発明のデジタル放送受信装置の一実施の形態を示すブロック図である。
図１において、受信装置１０は、アンテナ１１でキャッチされた放送信号が供給されるアンテナ入力端子１２を備えている。入力端子１２にに選局／復調部１３が接続され、この選局／復調部１３で放送信号の所定のチャンネルの選局と選局された受信信号の復調が実施される。選局／復調部１３は、復調された信号に対して誤り訂正処理、さらに必要に応じてスクランブル解除処理を施して、ＴＳ（Transport Stream）信号を出力する。
【００２０】
ＴＳ信号は、分離部１４に供給されて、ここで、番組を構成する情報が分離されてＡＶ（Audio Visual）デコーダ１５に供給され、さらにお知らせ情報が分離されてお知らせ情報デコーダ１６に供給される。なお、ＴＳ信号は、さらに字幕文字情報とデータ情報が含まれるがこの発明に直接関係しないのでここでは省略する。
【００２１】
ＡＶデコーダ１５に供給された番組を構成する情報は、ここでＭＰＥＧ（Moving Picture Experts Group）の復号処理が施され、復号された映像信号が表示制御部１７に供給される。また、音声信号は例えばスピーカを含む図示しない出力手段によって出力される。
【００２２】
お知らせ情報デコーダ１６では、ＴＳ信号に含まれるカードメッセージ情報あるいはボードメッセージ情報、及び後述する受信装置本体（本機）のお知らせ情報、さらにはメールに関するお知らせ情報が復号され、制御部１８からの指示によって表示制御部１７に導出される。
【００２３】
制御部１８は、後に詳述するリモートコントローラ等の操作部１９からの操作情報を受けて、表示制御部１７に対して制御信号を出力する。表示制御部１７は、制御信号を受けてＡＶデコーダ１５及びお知らせ情報デコーダ１６から供給される各データを、それぞれモニタ部２０で映像表示可能となるような処理を施すと共に、必要に応じて圧縮、合成等の処理を施して表示手段を構成するモニタ部１９に出力し、モニタ部１９で表示させる。
【００２４】
さらに、受信装置１０には、ＴＳ信号を例えば外部の記録再生器に導出して番組の録画に供するための機能が設けられており、ＩＥＥＥ（Institute of Electrical and Electronics Engineers）１３９４規格に準拠した１３９４Ｉ／Ｆ（Inter Face）部２１と端子２２が設けられ、この端子２２を介して例えばＤＶＤ（Digital Versatile Disk）レコーダで構成される記録再生器２３が接続される。
【００２５】
記録再生器２３に対する録画予約は、操作部１９から行なわれ、例えば日付、録画開始時刻、録画終了時刻、放送チャンネルを含む予約データがメモリ２４に記憶される。制御部１８は、例えば、現在時刻とメモリ２４に記憶された予約データの放送開始時刻を比較し、一致した際に、選局／復調部１３に予約データの放送チャネルを選局する信号を出力し、さらに１３９４Ｉ／Ｆ部２１に対して録画を実行させるたの制御信号を送る。
【００２６】
録画予約は、あるいはＥＰＧ（Electronic Program Guide）によってモニタ２０に番組表を表示させて、リモートコントローラのカーソルキーと決定キーを押下することで、必要な情報をメモリ２４に記録するという簡単な方法で行うことも可能である。
【００２７】
１３９４Ｉ／Ｆ部２１は、選局／復調部１３から出力されるＴＳ信号を分離部１４を介して受け、そのＴＳ信号に記録再生機器２３の動作を制御する信号を付加して端子２２から出力する。記録再生器２３では、端子２２から供給される信号に基づいて、ＴＳ信号の記録動作を行い、記録が完了したか否かという情報を端子２２を介して１３９４Ｉ／Ｆ部２１に返す。記録再生器２３に記録媒体が装着されていなかったり、あるいは記録再生器２３の電源が入っていなくて記録が実行されなかった場合には、分離部１４を介してお知らせ情報デコーダ１６に録画が実行されなかったというお知らせ情報が供給され、それが復号されて表示制御部１７に導出される。
【００２８】
さらに、受信装置１０には、電話回線２５を介してメールのやり取りを行なうための通信ドライバ２６とメール情報処理部２７が設けられており、通信ドライバ２６は、予め設定されたメールアクセスポイントに対して、メール情報処理部２７からのメール送信要求情報にしたがってメールの送信を行い、あるいはメール情報処理部２７からのメール受信要求によってメールの受信を行なう。
【００２９】
メール情報処理部２７では、制御部１８を介して操作部１９からの指示によって送信用メールの作成処理を行い、操作部１９による送信操作が実行されると、作成した送信メール情報を通信ドライバ２６に供給してメールの送信処理を行う。また、操作部１９からの指示により受信されたメール情報を表示するための処理を行なう。送信メール情報及び受信メール情報は、メール情報処理部２７から表示制御部１７に供給される。なお、通信ドライバ２６と電話回線２５との間にモジュラージャツク２８が設けられている。
【００３０】
制御部１８は、通信ドライバ２６を監視して、メール送信時に相手方に間違いなく到達したかどうかの情報を得、これをお知らせ情報として分離部１４を介してお知らせ情報デコーダ１６に供給する。お知らせ情報デコーダ１６では、それを復号して表示制御部１７に導出する。例えば、この際のお知らせ情報としては、電話回線が混雑してメールが送れなかったとか、時間をおいて再度の送信を促すという内容のものが考えられる。通信ドライバ２６からのお知らせ情報は、例えばＢＭＬ（Broadcast Markup Language）によって生成される。
【００３１】
次に、モニタ部２０でのメッセージ情報の表示の詳細について説明する。メッセージ情報は、表示制御部１７で、モニタ部２０で基本的に１行で横にスクロール表示されるように処理されると共に、番組を構成する映像信号に重畳されて出力される。それによって、モニタ部２０では視聴中の番組の映像の片隅にメッセージ情報がスクロール表示されるようになり、全ての情報の表示が終了すると再び最初に戻ってスクロール表示を繰り返すように設定される。
【００３２】
しかしながら、メッセージ情報の容量が多いか、数が多い場合には、全ての情報が表示されるまでに相当の時間がかかるため、表示制御部１７で、スクロールの速度を速くするように設定することも可能である。また、見逃した情報を即確認したいという要求に答えるために、スクロールの方向を反転させることも可能である。さらには、表示制御部１７で、スクロールを停止してスクロール表示していた情報を一度に表示できるように設定することも可能となるように構成されている。
【００３３】
また、メッセージ情報の中に、改行制御符号やスペース（ＳＰ）符号が含まれていると、スクロールがスムーズに実行されなかったり、空白が長く表示されることになるため、表示制御部１７で、メッセージ情報の中から改行制御符号とＳＰ符号を検出して、改行制御符号が検出された場合にはこれを無視する処理を行ない、ＳＰ符号が検出された場合にはそれが連続して３個以上存在する場合に無視する処理を行なうように構成されている。
【００３４】
表示制御部１７の以上の機能を実行するかしないかは、初期設定としてモニタ部１７に選択情報を表示させて、操作部１９の操作によって設定できるように構成されている。あるいは、スクロール表示によるメッセージ情報を表示中に、操作部１９の操作によってスクロール表示を取りやめ、メッセージ情報を一括表示させるように切換えることもできる。
【００３５】
図２及び図３は、操作部１９の具体例としてのリモートコントローラ２９のキー配列を示す図である。
図２において、２９ａはカーソルキーであり、三角マーク部分を押すことでその方向にカーソルが動くものである。２９ｂは決定キーであり、カソルキー２９ａで項目を選択した後に押下することでその項目の選択が確定する。また、キー２９ｃはチャンネル切換え用のキーであり、キー２９ｄは、メッセージ情報の内容を画面表示する際に押下するキーであり、押下する度に表示と非表示に切換わる。数字が付されたテンキー２９ｅは、チャンネル番号を１桁づつ入力するために用いられるか、あるいは設定画面等で、項目を数字で選択する際に利用される。さらに、青、赤、緑、黄の各キー２９ｆ，２９ｇ，２９ｈ，２９ｉは、後述する画面表示される色付インジケータに対応して、カーソルキー２９ａによる項目選択を行なうことなく、インジケータで色分け表示される機能を直接選択するために設けられている。また、キー２９ｊは後述するスクロール表示を停止させて、メッセージ情報の全文を表示させるように切換えるキーであり、押下する度に、スクロール表示と全文表示とが交互に切換えられる。さらにキー２９ｋは装置の電源を切換えるキーである。
【００３６】
リモートコントローラ２９には、チャンネル切換えキー２９ｃ、テンキー２９ｅを含む複数のキーが配設された開閉自在の扉３０が設けられており、この扉３０を開くことで、扉３０に設けられたキーとは異なる機能のキーが露出されるようになる。扉３０を開いた状態を図３に示す。扉３０の下には、基本的にメール文を入力するための複数のキー３０ａが設けられている。扉３０の裏面には、扉を開けたときにキーの機能を切換えるためのピン３０ｂが設けられ、本体側に、ピン３０ｂで駆動されるスイッチ３０ｃが設けられている。
【００３７】
図４に新着お知らせ情報のスクロール表示の初期設定を行なうためのモニタ部２０の画面表示例を示す。図４（ａ）は、新着お知らせ表示動作の設定を行なうためのものであり、まず、スクロール表示させるか否かの設定をするための選択項目１が表示され、図４（ａ）では、「表示する」が選択されている例を示している。この設定によって、お知らせ情報が到来した場合に、それが自動的に画面にスクロール表示されることになる。なお、「表示しない」が選択された場合、お知らせ情報は、スクロール表示ではなく、一括表示となる。
【００３８】
次に、スクロール表示する項目を設定するための選択項目２が表示され、タイトル表示をスクロールさせるか、本文表示をスクロールさせるかの選択項目が表示される。図４（ａ）では、タイトルも本文もスクロール表示されるように設定されている例を示している。
【００３９】
図４（ｂ）は、新着メールに関するスクロール表示の設定を行なうための画面の例を示している。選択項目１としてスクロール表示を行なうか否かの表示がなされ、図４（ｂ）では、スクロール表示を行なうが選択されている。選択項目２では、スクロールさせる項目の設定がなされ、項目として、送信日時、送信者、宛先、件名、添付ファイル名、本文が挙げられ、図４（ｂ）では送信者、件名、本文、が表示項目として選択され、それ以外の項目は表示しないを選択している。
【００４０】
図４（ａ）（ｂ）における設定作業は、いずれも操作部１９であるリモートコントローラ２９のカーソルキー２９ａで選択項目を選択し、決定キー２９ｂを押下してその選択を確定することで終了する。
次に、お知らせ情報（メッセージ情報）の具体的な表示例について説明する。お知らせ情報は、例えば階層的に構成されており、最も最初の階層がお知らせ情報の項目名である。図５では、新着お知らせ情報の項目名がスクール表示されている状況を示すものである。すなわち、放送局からのお知らせ、本機に関するお知らせ、ボードに関するお知らせが存在することがスクロール表示されていることが示されている。
【００４１】
新着お知らせ情報の全ての項目名がスクロール表示されたら、次に各項目名毎の具体的内容がスクロール表示されるように切換わる。すなわち、２番目の階層に切換わる。
図６は、放送局からのお知らせ情報の中に含まれるさらに細分化された項目がスクロール表示されている状況を示している。すなわち、放送局からのお知らせとして、停波のお知らせと、特定の局からのプレゼントのお知らせがあることを示している。
【００４２】
図７は、図６の状況からさらに進んで各細分化項目の具体的内容が表示されている状況を示している。すなわち、３番目の階層が表示されている状況にあり、停波のお知らせの具体的内容がスクロール表示されている状況を示している。すなわち、特定の日時に設備メンテナンスのために放送を停止することが表示される。階層的に図７が最も低い位置にある情報であることが認識される。
【００４３】
図５〜７に示すスクロール表示においては、表示制御部１７で情報の文字符号の判別が行われ、改行制御符号が検出された際には、それを無視して、次の行に相当する文字が連続してスクロール表示されるように、また、ＳＰ符号が３個以上連続した際に、それが表示されないように制御される。
【００４４】
図５〜７に示すスクロール表示状態において、ユーザがリモートコントローラ２９のキー２９ｊを操作すると、制御部１８は、表示制御部１７を制御してスクロール表示を停止させ、さらに今までスクロール表示されていた階層のお知らせ情報を一括的に表示するように処理させる。
【００４５】
それによって、モニタ部２０の画面表示もスクロールを停止してお知らせ情報を一括表示したものとなる。図８〜１０は、それぞれ図５〜７にでスクロール表示されたお知らせ情報を一括表示に切換えた状態を示すものである。
図８では、新着のお知らせが、放送局からのお知らせ、本機に関するお知らせ、ボードに関するお知らせの３項目あることを示している。ユーザはリモートコントローラ２９のカーソルキー２９ａで所望の項目にカーソルを移した後、決定キー２９ｂを押下してその項目の選択を確定する。
【００４６】
図９では、放送局からのお知らせの具体的な項目が表示されており、図１０では、停波のお知らせの具体的内容が表示されている。これら、一括表示形式のお知らせ情報においても、表示制御部１７において、番組の映像信号に重畳してモニタ部２０画面の一部に表示させるようにすることができるものである。
【００４７】
図１１は、新着メールがあった際のお知らせ情報の表示例を示している。すなわち、新着メールが１と２の２通あることがスクロール表示により示されている。さらに図１２では、新着メール１の具体的内容がスクロール表示されている状況が示されている。
【００４８】
この新着メールに関するお知らせについても、リモートコントローラ２９のキー２９ｊを操作することによって、モニタ部２０による表示をスクロール表示から一括表示に変えることができる
図１３は、メールに関するお知らせ情報の最初の階層の一括表示画面の例を示すものである。すなわち、受信ボックス（ＢＯＸ）内のメールの一覧が表示されている。画面の左側に項目のリストが１列に配置され、最初の行の「受信ＢＯＸ」にカーソルがあることを斜線で示している。項目リストの画面右側に受信ＢＯＸ内のメールリストが表示されている。すなわち、この受信ＢＯＸには、２３通のメールが存在し、そのうち例えば、読んでないメールが２通あることが、ヘッダ部分のアスタリスクで表示され、この２通が新着メールであることを示している。なお、図１３において、リスト外の下部に表示されている「回線接続」「メール送受信」「メール新規作成」の各ヘッダ部には、図では不明であるが「青」「赤」「緑」に色付けされた丸印が付されており、リモートコントローラ２９の色分けキーを操作することによって、カーソルキー２９ａと決定キー２９ｂによらず、それら機能を直接起動させることができる。
【００４９】
図１４は、リモートコントローラ２９のカーソルキー２９ａによって、受信ＢＯＸリストの先頭行のメールにカーソルが移動した状態を斜線で示している。この状態で、リモートコントローラ２９の決定キー２９ｂを押下することで、図１５に示すように、２３通のメールの最初のメールの内容が表示される。
【００５０】
スクロール表示を停止して一括表示させる場合には、図４によってスクロール表示した際の表示項目が選択されていても、それが無視されて全ての項目が表示される。
以上のように、本発明は、お知らせ情報に含まれる改行制御符号及びＳＰ符号を検出し、検出結果に応じてスクロール表示を制御するようにし、さらに、お知らせ情報が到来した際に自動的にスクロール表示を行わせるように設定でき、しかもスクロール表示の項目を予め選択しておくことができるため、お知らせ情報を適切で判り易く表示させることができるものである。さらにユーザがスクロール表示が適当でないと判断した場合には、リモートコントローラのキーを一度押下するだけで、全文表示に切換えることができ、使い勝手も充分なものとすることができる。
【００５１】
なお、情報がスクロール表示されている状況において、リモートコントローラの決定キー２９ｂ、あるいはその情報に付されている項目番号の数字キー２９ｅを押下することで、その項目を選択して、下層の情報がスクロール表示されるように構成することも可能である。
【００５２】
本発明の受信装置の動作について、さらに図１６以下のフローチャートを用いて説明する。
図１６は、新着お知らせ情報のスクロール処理を説明するフローチャートである。図１６において、ステップＳ１で開始されると、ステップＳ２でお知らせ情報デコーダ１６は、新着お知らせ情報の有無を判別し、ない場合はステップＳ１１で処理を終了する。新着お知らせ情報がある場合には、ステップＳ３でスクロール表示を行わせることの設定がなされているかの判別をし、スクロール表示を実行することが設定されていない場合には、ステップＳ１０で、表示制御部１７による一括表示処理が実行されて、ステップＳ１１で処理を終了する。
【００５３】
スクロール表示の設定がなされていれば、ステップＳ４に移って、該当項目番号のお知らせ情報（最も上位階層の最も若い番号のお知らせ情報）が取得され、次にステップＳ５でお知らせ情報の内の、初期設定で表示させると設定されている情報項目（図４（ａ）参照）が特定され、特定された情報がステップＳ６で、１文字毎に横にスクロール表示されるように処理される。図４（ａ）の例の場合では、タイトルと本文が表示されるように設定されているため、タイトルと本文が表示されるように処理される。その結果スクロール表示処理されたお知らせ情報がモニタ部２０に供給されてスクロール表示が行なわれる。
【００５４】
次に、ステップＳ７でユーザによって操作部１９からスクロール表示を終了させる指示が入力されたか否かの判定が行なわれ、終了指示が入力された場合には、ステップＳ１１に移って処理を終了する。終了指示が入力されていない場合には、ステップＳ８でスクロール動作が１文字終わる毎に、スクロール表示しているお知らせ情報の全ての文字に対する処理が終了したか否かの判定が行なわれ、終了していない場合ステップＳ６に戻る。スクロール処理が終了したと判定された場合には、ステップＳ９で全ての新着お知らせ情報の表示が終了したか否かの判定がなされ、全ての新着お知らせ情報の表示が終了していなければ、ステップＳ４に戻って次の項目番号あるいは次の階層のお知らせ情報の取得が行なわれる。全ての新着お知らせ情報の表示が終了したら、ステップＳ１１で処理を終了する。
【００５５】
図１７は、新着メールに対する処理を説明するためのフローチャートである。ステップＳ２１で開始され、ステップＳ２２でメール情報処理部が新着メールが入ったか否かの判定を行い、新着メールがない場合はステップＳ３１に移って処理を終了する。新着メールがあることが判定されたら、ステップＳ２３でスクロール表示することが設定されているか否かの判定がなされ、設定されていない場合には、ステップＳ３０でメール情報の一括表示処理が行なわれ、図１４，１５に示す形態の一覧表示がモニタ部２０で表示されてステップＳ３１で処理が終了する。
【００５６】
スクロール表示を行なうことが設定されている場合には、ステップＳ２４で新着メールに対応する該当項目番号のメール情報が取得され、次に、ステップＳ２５で初期設定で表示すると設定された項目（図４（ｂ）参照）が特定され、さらに特定された項目が、ステップＳ２６で１文字毎に横にスクロール表示されるように処理される。図４（ｂ）の例では、送信者、件名、本文が表示する項目として設定されているため、それらがスクロール表示されるように処理される。処理されたメール情報が、モニタ部２０に供給されてスクロール表示される。
【００５７】
次に、ステップＳ２７でユーザによって操作部１９からスクロール表示を終了させる指示が入力されたか否かの判定が行なわれ、終了指示が入力された場合には、ステップＳ３１に移って処理を終了する。終了指示が入力されていない場合には、ステップＳ２８でスクロール動作が１文字終わる毎に、スクロール表示しているお知らせ情報の全ての文字に対する処理が終了したか否かの判定が行なわれ、終了していない場合ステップＳ２６に戻る。スクロール処理が終了したと判定された場合には、ステップＳ９で全ての新着メールの表示が終了したか否かの判定がなされ、全ての新着メールの表示が終了していなければ、項目番号を更新してステップＳ２４に戻って次の新着メールの取得が行なわれる。全ての新着メールの表示が終了したら、ステップＳ３１で処理を終了する。
【００５８】
以上説明した、図１６のスクロール表示処理（ステップＳ６）と図１７のスクロール表示処理（ステップＳ２６）は、いずれも８単位文字符号処理による横スクロール動作として処理されるものである。
図１６と図１７では、スクロール表示中に、表示を停止させて処理を終了するステップが設けられているが、図８，９，１０及び図１３，１４，１５で説明したように、スクロール表示中に、ユーザの操作によって、表示を全文表示に切換えることが可能であり、それを図１８，１９のフローチャートで説明する。
【００５９】
図１８は、新着お知らせ情報の表示処理（図１６）に対応したもので、図１９は、新着メールの表示処理（図１７）に対応したものであり、それぞれ、図１６，１７と同じ処理ステップについては同じ符号を付して詳細な説明は省略する。図１８において、ステップＳ７とＳ８の間に、ステップＳ１２が設けられて、ステップＳ１０とＳ１１の間にステップＳ１３が設けられている。
ステップＳ１２では、表示を全体表示に切換える指示が操作部１９から入力されたか否かの判定がなされ、指示があった場合、ステップＳ１０に進んで一括表示処理が実行される。さらに、一括表示処理が実行されていてる状態において、ステップＳ１３で操作部１９からスクロール表示の指示がなされたか否かの判定がなされ、指示があった場合、ステップＳ６に移って、再びスクロール表示処理が実行される。
【００６０】
図１９でも同様に、ステップＳ２７とＳ２８の間に、ステップＳ３２が設けられて、ステップＳ３０とＳ３１の間にステップＳ３３が設けられている。ステップＳ３２では、表示を全体表示に切換える指示が操作部１９から入力されたか否かの判定がなされ、指示があった場合、ステップＳ３０に進んで一括表示処理が実行される。さらに、一括表示処理が実行されていてる状態において、ステップＳ３３で操作部１９からスクロール表示の指示がなされたか否かの判定がなされ、指示があった場合、ステップＳ２６に移って、再びスクロール表示処理が実行される。
【００６１】
図２０は、図１６，１７のステップＳ６及びＳ２６で示されるスクロール表示処理の具体例を示すフローチャートであり、お知らせ情報及びメール表示文に含まれる制御符号である改行制御符号と文字符号のＳＰ文字がある場合の具体処理を説明している。
【００６２】
図２０において、ステップＳ４１で開始され、ステップＳ４２で、初期設定でスクロール表示するとされた項目の情報を特定する（図１６，１７のステップＳ５及びステップＳ２５と同じ処理）と共に、ＳＰ符号の連続数を計数するカウンタｎを初期設定（ｎ＝０）してステップＳ４３へ進む。ステップＳ４３では、ステップＳ４２にて特定されたスクロール表示データから１文字分の符号を読取りステップＳ４４へ進む。  ステップＳ４４では、ステップＳ４３で読取った符号が改行制御符号であるか否かを判別し、改行制御符号の場合はステップＳ４９へ進み、改行制御符号でない場合はステップＳ４５へ進む。以上の処理により横スクロール表示には不向きの改行制御符号を排除している。
【００６３】
次にステップＳ４５ではステップＳ４３で読取った符号がＳＰ文字であるか否かを判別し、ＳＰ符号の場合はステップＳ４９へ進み、ＳＰ符号でない場合はステップＳ４６へ進む。ステップＳ４４，Ｓ４５での判定の結果、対象となっている文字がスクロール表示可能な文字符号であることが認識されたことにより、ステップＳ４６では、ＳＰ符号の連続数を計数するカウンタｎを初期化（ｎ＝０）してステップＳ４７へ進む。  ステップＳ４７では、横方向に１文字づつスクロール表示されるように処理を行なって、モニタ部２０に供給してスクロール表示を行なわせる。
【００６４】
次に、ステップＳ４８で、ユーザによって操作部１９からスクロール表示を終了させる指示が入力されたか否かの判定が行なわれ、終了指示が入力された場合には、ステップＳ５２に移って処理を終了する。終了指示が入力されていない場合には、ステップＳ４９でスクロール動作が１文字終わる毎に、スクロール表示処理が終了したか否かの判定が行なわれ、終了していない場合ステップＳ４３に戻る。以上説明の処理をスクロール終了まで行う。
【００６５】
ステップＳ４５で文字がＳＰ符号であると判定された場合、ステップＳ５０で、ＳＰ符号の連続数を計数するカウンタｎを１加算（＋１）してステップＳ５１へ進む。ステップＳ５１では、ステップＳ５０にて計数したカウンタｎの数値を判定して、ｎ＞３の場合はステップＳ４９へ進み、ｎ＝＜３の場合はステップＳ４７へ進む。この処理によりＳＰ符号が連続して３文字以上ある場合は３文字目以降のＳＰ符号はスクロール表示から除外され、表示可能な文字データがスクロール表示されることになり、空白文字のスクロールが継続することを排除している。
【００６６】
以上の構成により、横スクロール表示には不向きの改行制御符号の排除と３文字以上ＳＰ文字が連続してスクロールされ何も情報が表示されないという状態の排除を可能とした。
図２１は、スクロール処理動作の他の実施の形態を示すフローチャートであり、スクロール表示動作中にユーザが操作部１９により、カーソルキー２９ａの＜キー及び＞キー等の操作を行った場合の具体処理を説明している。図２１において、図２０と同じ処理については説明を省略する。
【００６７】
図２１において、ステップＳ５５で開始されて、ステップＳ５６に進む。ステップＳ５６では、図２０のステップＳ４２での特定処理動作に加えて、スクロール動作情報としてスクロール方向及びスクロール速度を設定する処理を実行するものであり、初期設定としてスクロール方向＝順送り、スクロール速度＝標準を設定してステップＳ４３へ進む。
【００６８】
さらに、図２１においては、ステップＳ４８とステップＳ４９の間には、ステップＳ５７をおき、キー操作処理を追加している。ここで操作部１６からのキー操作を検出してスクロール動作に対応した処理を行う。個々のキー入力に対応した処理は図２２及び図２３にて説明する。
【００６９】
図２２は、図２１のステップＳ５７の具体処理を説明するフローチャートであり、スクロール動作中にカーソルキー２９ａの＜キー入力が有る場合の処理について説明している。
ステップＳ７１で開始され、ステップＳ７２では、操作部１９からの＜キー入力があるかを検出し、＜キー入力がない場合はステップＳ８１で処理を終了し、＜キー入力がある場合はステップＳ７３へ進む。ステップＳ７３では、スクロール動作情報として備えているスクロール方向の設定値を確認し、順送りの場合はステップＳ８０へ進み、順送りでない場合はステップＳ７４へ進む。ステップＳ７４では、スクロール動作情報として備えているスクロール速度の設定値を確認し、標準の場合はステップＳ７５へ進み、標準でない場合はステップＳ７６へ進む。ステップＳ７５では、スクロール動作情報として備えているスクロール方向を逆送り、スクロール速度を倍速に設定して処理を終了する。これにより以降のスクロール表示は、逆送り、標準速度表示から、逆送りでかつ倍速表示される。
【００７０】
ステップＳ７６では、スクロール動作情報として備えているスクロール方向を順送り、スクロール速度を標準に設定してステップＳ７７へ進む。ステップＳ７７では、現在スクロール表示中の項目番号の前に表示した項目番号があるかを確認し、ある場合はステップＳ７８へ、ない場合はステップＳ７９へ進む。ステップＳ７８では、現在表示中のスクロール情報項目番号の前の情報を読取り、スクロール表示データとして先頭情報よりスクロールを再開する。この時のスクロール表示は、方向が順送り、速度は標準速度で行なわれる。これにより以降のスクロール表示は、現在表示中の情報項目番号の逆送り、倍速表示から現在表示中の情報項目番号の前に表示された情報項目番号の先頭情報よりスクロール順送り、標準速度で表示される。
【００７１】
ステップＳ７９は、現在表示中のスクロール情報項目番号の前に表示された情報がない場合の処理であり、この時は現在表示中のスクロール情報項目番号の先頭情報からスクロール方向順送り、速度標準で表示される。ステップＳ８０では、スクロール動作情報として備えているスクロール方向を逆送り、スクロール速度を標準に設定して処理を終了する。これにより以降のスクロール表示は、順送りから逆送りに切換わると共に、倍速から標準速度に切換って表示される。
【００７２】
図２３は、図２１のステップＳ５７の他の具体処理を説明するフローチャートであり、スクロール動作中に＞キー入力がある場合の処理について説明している。
ステップＳ９１で開始されると、ステップＳ９２では、操作部１９からのカーソルキーの＞キー入力があったかを検出し、＞キーの入力がない場合は処理を終了し、＞キーの入力がある場合はステップＳ９３へ進む。ステップＳ９３では、スクロール動作情報として備えているスクロール方向の設定値を確認し、逆送りの場合はステップＳ１００へ進み、逆送りでない場合はステップＳ９４へ進む。ステップＳ９４では、スクロール動作情報として備えているスクロール速度の設定値を確認し、標準の場合はステップＳ９５へ進み、標準でない場合はステップＳ９６へ進む。ステップＳ９５では、スクロール動作情報として備えているスクロール方向を順送り、スクロール速度を倍速に設定してステップ１０１で処理を終了する。これにより以降のスクロール表示は、順送り、標準速度から、順送りで倍速に切換わって行なわれる。
【００７３】
ステップＳ９６では、スクロール動作情報として備えているスクロール方向を順送り、スクロール速度を標準に設定してステップＳ９７へ進む。ステップＳ９７では、現在スクロール表示中の項目番号の次に表示する項目番号があるかを確認し、ある場合はステップＳ９８へ、ない場合はステップＳ９９へ進む。ステップＳ９８では、現在表示中のスクロール情報項目番号の次の情報を読取り、スクロール表示データとして先頭情報よりスクロールを再開する。この時のスクロール表示は、方向が順送り、速度は標準速度となる。これにより以降のスクロール表示は、現在表示中の情報項目番号の順送り、倍速表示から現在表示中の情報項目番号の次の情報項目番号の先頭情報より順送り、標準速度でスクロール表示される。
【００７４】
ステップＳ９９では、現在表示中のスクロール情報項目番号の次に表示する情報がない場合の処理であり、この時はスクロール表示を終了する。ステップＳ１００では、スクロール動作情報として備えているスクロール方向を順送り、スクロール速度を標準に設定して処理を終了する。これにより以降のスクロール表示は、逆送りから、順送りで標準速度へ切換って実行される。
【００７５】
以上のように、カーソルキーの＜あるいは＞キー操作によりスクロール表示する情報項目番号の切換、スクロール方向および速度の切換えが可能となり情報を読取れなかったり、読み飛ばしたい場合の処理を実行させることが可能となる。以上のように本発明のデジタル放送受信装置においては、表示される文字情報の中から、改行制御符号及びＳＰ符号を検出して、改行制御符号が検出された際に、それを無視し、ＳＰが連続して所定数存在した場合に、それが表示されないように制御することで、分かり易いスクロール表示を行なうことができる。さらに、スクロール表示中にその表示の方向と、速度をユーザが設定できるように構成したので、スクロール表示が効率よく実行されるものである。また、スクロール表示の途中で、表示している情報の全文を一括表示できるように構成したので、情報の確認を確実に行なうことができるものである。
【００７６】
【発明の効果】
以上のように、本発明によれば、スクロール表示に適さない改行制御符号及びＳＰ符号を検出してスクロール表示を制御し、さらにユーザが、操作部１９を操作することでスクロール表示中にスクロール表示の速度と方向を切換えることができるように構成すると共に、スクロール表示と、全文表示を切換えられるようにしたので、判り易く効率的な表示を行なわせることができるものである。
【図面の簡単な説明】
【図１】本発明に係る、デジタル放送受信装置の一実施の形態を示すブロック図。
【図２】図１に示す装置の要部の一実施の形態を示す図。
【図３】図１に示す装置の要部の一実施の形態を示す図。
【図４】図１に示す装置の動作を説明するための図。
【図５】図１に示す装置の動作を説明するための図。
【図６】図１に示す装置のさらに他の動作を説明するための図。
【図７】図１に示す装置のさらに他の動作を説明するための図。
【図８】図１に示す装置のさらに他の動作を説明するための図。
【図９】図１に示す装置のさらに他の動作を説明するための図。
【図１０】図１に示す装置のさらに他の動作を説明するための図。
【図１１】図１に示す装置のさらに他の動作を説明するための図。
【図１２】図１に示す装置のさらに他の動作を説明するための図。
【図１３】図１に示す装置のさらに他の動作を説明するための図。
【図１４】図１に示す装置のさらに他の動作を説明するための図。
【図１５】図１に示す装置のさらに他の動作を説明するための図。
【図１６】図１に示す装置の動作を説明するためのフローチャート。
【図１７】図１に示す装置の動作を説明するためのフローチャート。
【図１８】図１に示す装置の動作を説明するためのフローチャート。
【図１９】図１に示す装置の動作を説明するためのフローチャート。
【図２０】図１に示す装置の動作を説明するためのフローチャート。
【図２１】図１に示す装置の動作を説明するためのフローチャート。
【図２２】図１に示す装置の動作を説明するためのフローチャート。
【図２３】図１に示す装置の動作を説明するためのフローチャート。
【符号の説明】
１０…受信装置
１１…アンテナ
１２…アンテナ入力端子
２２…端子
２８…モジュラー端子
【図１】
2004207930.tif 000003
【図２】
2004207930.tif 000004
【図３】
2004207930.tif 000005
【図４】
2004207930.tif 000006
【図５】
2004207930.tif 000007
【図６】
2004207930.tif 000008
【図７】
2004207930.tif 000009
【図８】
2004207930.tif 000010
【図９】
2004207930.tif 000011
【図１０】
2004207930.tif 000012
【図１１】
2004207930.tif 000013
【図１２】
2004207930.tif 000014
【図１３】
2004207930.tif 000015
【図１４】
2004207930.tif 000016
【図１５】
2004207930.tif 000017
【図１６】
2004207930.tif 000018
【図１７】
2004207930.tif 000019
【図１８】
2004207930.tif 000020
【図１９】
2004207930.tif 000021
【図２０】
2004207930.tif 000022
【図２１】
2004207930.tif 000023
【図２２】
2004207930.tif 000024
【図２３】
2004207930.tif 000025